(57)【要約】【課題】捕集した毛髪等のゴミをまとめて簡単に取り除くことができるヘアキャッチャーを提供することを課題とする。【解決手段】排水口２に保持される支持部３を備える。支持部３によって支持される幹部１５を備える。幹部１５から突出して先端が自由端となった捕集手段としての複数の枝部１６を備える。各枝部１６をその先端側が幹部１５に近づいて倒伏するよう弾性変形可能なものとする。【選択図】図１
2009052353.tif 000002
【特許請求の範囲】
【請求項１】
排水口に保持される支持部と、支持部によって支持されて排水口内に伸びる幹部と、幹部から突出して先端が自由端となった捕集手段としての複数の枝部を備え、各枝部をその先端側が幹部に近づいて倒伏するよう弾性変形可能なものとして成ることを特徴とするヘアキャッチャー。
【請求項２】
前記枝部として、下側に向けて突出する幹部から斜め上向きに突出する枝部を有することを特徴とする請求項１に記載のヘアキャッチャー。
【請求項３】
前記幹部から突出した複数の枝部をしごく手段として、幹部の長さ方向に移動自在で且つ幹部を囲む環状のしごき部を備えて成ることを特徴とする請求項１又は請求項２に記載のヘアキャッチャー。
【発明の詳細な説明】
【技術分野】
【０００１】
本発明は排水口に配置されるヘアキャッチャーに関する。
【背景技術】
【０００２】
浴室の洗い場に形成される排水口に配置されるヘアキャッチャーとしては例えば特許文献１に示すものがある。このヘアキャッチャーは図８のように網皿状の捕集部材３０を備えており、この捕集部材３０により毛髪等のゴミを除去するものであるが、このような網皿状の捕集部材３０に絡み付いた毛髪等のゴミは非常に取り除き難いという問題がある。
【０００３】
また、このヘアキャッチャーには捕集部材３０に加えて中心軸３１から複数の捕集リブ３２を突出しており、この捕集リブ３２によっても補助的に毛髪等のゴミを捕集できるようになっている。ここで、捕集リブ３２に絡み付いたゴミは捕集リブ３２を手等でしごいて自由端となった先端側へと移動すれば取り除くことができ、この点では前記網皿状の捕集部材３０よりもゴミを取り除きやすい。しかし、この場合、捕集リブ３２を一本ずつ取り除く必要があり、複数の捕集リブ３２に絡みついたゴミをまとめて取り除くことができなかった。
【特許文献１】特開２００４−１１６２２８号公報
【発明の開示】
【発明が解決しようとする課題】
【０００４】
本発明は上記従来の問題点に鑑みてなされたものであって、捕集した毛髪等のゴミをまとめて簡単に取り除くことができるヘアキャッチャーを提供することを課題とする。
【課題を解決するための手段】
【０００５】
上記課題を解決するために本発明に係るヘアキャッチャーは、排水口２に保持される支持部３と、支持部３によって支持されて排水口２内に伸びる幹部１５と、幹部１５から突出して先端が自由端となった捕集手段としての複数の枝部１６を備え、各枝部１６をその先端側が幹部１５に近づいて倒伏するよう弾性変形可能なものとして成ることを特徴とする。幹部１５から突出した複数の枝部１６で毛髪を捕集でき、また、この枝部１６は先端が自由端となっているので、枝部１６をしごいて毛髪等のゴミを簡単に取り除くことができるのは勿論、加えて各枝部１６をその先端側が幹部１５に近づいて倒伏するよう弾性変形可能なものとすることで、複数の枝部１６を突出した幹部１５をしごくことにより、複数の枝部１６を幹部１５に沿って倒伏させ、この倒伏させた各枝部１６に付着した毛髪等のゴミをまとめて取り除くことができる。
【０００６】
また、前記枝部１６として、下側に向けて突出する幹部１５から斜め上向きに突出する枝部１６を有することが好ましい。この場合、排水に含まれる毛髪等のゴミを下側に向けて突出する幹部１５から斜め上向きに突出する枝部１６の基部で落下しないように保持でき、枝部１６でゴミを確実に補足できる。
【０００７】
また、前記幹部１５から突出した複数の枝部１６をしごく手段として、幹部１５の長さ方向に移動自在で且つ幹部１５を囲む環状のしごき部を備えることが好ましい。この場合、複数の枝部１６を突出した幹部１５をしごき部でしごいて、各枝部１６に付着した毛髪等のゴミを清潔に除去できる。
【発明の効果】
【０００８】
請求項１に係る発明では、複数の枝部を突出した幹部をしごくことで、複数の枝部を幹部に沿って倒伏させ、この倒伏させた各枝部に付着した毛髪等のゴミをまとめて簡単に取り除くことができる。
【０００９】
また請求項２に係る発明では、請求項１に係る発明の効果に加えて、排水に含まれる毛髪等のゴミを枝部で確実に補足できる。
【００１０】
また請求項３に係る発明では、請求項１又は請求項２に係る発明の効果に加えて、複数の枝部を突出した幹部をしごき部でしごいて、各枝部に付着した毛髪等のゴミを清潔に除去できる。
【発明を実施するための最良の形態】
【００１１】
以下、本発明を添付図面に示す実施形態に基づいて説明する。
【００１２】
本例のヘアキャッチャー１が設置される排水口２は図２に示すように浴室の洗い場に形成したものであり、洗い場を構成する床パン５には取付口６を形成している。取付口６には排水トラップ７を取り付けてあり、該排水トラップ７は、取付口６の下方に配置される容器状のトラップ本体８と、トラップ本体８に取り付けた取付用筒体９と、トラップ本体８の内側に挿入される封水筒体１０とを備えている。
【００１３】
取付用筒体９の下部はトラップ本体８の上面に形成した開口部８ａに取り付けてあり、該取付用筒体９の上端に周設した上側鍔部１１とトラップ本体８の開口部８ａの周縁部とで取付口６の周縁部を挟持することで、トラップ本体８は取付口６に取り付けられている。トラップ本体８の外周壁部には排水を下水へ排出するための出口部１２を設けている。
【００１４】
取付用筒体９の下端部には内側に向けて突出する下側鍔部２７を周設してあり、下側鍔部２７上には封水筒体１０の上端部外周に設けた鍔状載置部１３を載設している。封水筒体１０の下部はトラップ本体８の出口部１２よりも下方の位置まで挿入されて、トラップ本体８内の溜水２２内に浸かっており、これによりトラップ本体８内に封水部を形成している。排水口２は取付用筒体９及びこれに通じる封水筒体１０で構成してあり、該排水口２にヘアキャッチャー１が配設される。
【００１５】
そして上記排水構造にあっては、洗い場上の水が排水口２に流入してヘアキャッチャー１で毛髪等のゴミが捕集され、この後、封水筒体１０、トラップ本体８を順に介して出口部１２から外部に排出される。
【００１６】
以下、ヘアキャッチャー１について詳述する。図１に示すように、本例のヘアキャッチャー１は、支持部３と、該支持部３とは別体で支持部３によって支持されるヘアキャッチャー本体４で構成してある。
【００１７】
支持部３は、平面視円環状の外環状部１７と、外環状部１７と同心の平面視円環状の内環状部１８と、外環状部１７及びこの内側に位置する内環状部１８を連結する複数の連結リブ１９とで構成してあり、図２のように支持部３は外環状部１７が排水口２の上端部に嵌め込まれた状態で排水口２に出し入れ自在に保持される。なお、支持部３を排水口２に保持する方法としては、例えば排水口２の内周面に突起を設けると共に外環状部１７の外周面に前記突起が係合する溝を設けたり、排水口２の内周面に形成した段差部や排水口２の上端開口縁部に外環状部１７を載置する等が挙げられるが、勿論これに限定されるものではなく、その他の保持手段を採用しても良いものとする。
【００１８】
連結リブ１９は内環状部１８の周方向に等間隔で複数設けてあり、内環状部１８から平面視で放射状に突出してその先端が外環状部１７に一体に接続してある。これにより外環状部１７と内環状部１８の間に形成された平面視円環状の孔は前記複数の連結リブ１９により仕切られ、これら連結リブ１９間に形成された上下に貫通する孔２０ａ及び内環状部１８の内側に形成された孔２０ｂを排水を通水するための通水孔としている。
【００１９】
ヘアキャッチャー本体４は、横長棒状の取手部１４と、取手部１４の中央から下方に垂設した縦長棒状の幹部１５を備えている。また、排水に含まれる毛髪等のゴミの捕集手段として、幹部１５の外周面から突出する多数の枝部１６を備え、これら枝部１６と前述の取手部１４及び幹部１５で構成されている。各枝部１６は先端が自由端となった幹部１５よりも細い棒状に形成され、幹部１５の長さ方向及び周方向に位置を異ならせて多数設けてあり、これら枝部１６は平面視で放射状に突出している。また、ヘアキャッチャー本体４の上端部に設けた取手部１４の長さ寸法は支持部３の内環状部１８の内径よりも長くなっており、取手部１４の両端部を図１（ｂ）に示すように内環状部１８の中央の孔２０ｂを跨るように内環状部１８上に載置することで、ヘアキャッチャー本体４は支持部３に支持され、この支持状態では取手部１４から垂設した幹部１５が支持部３の内環状部１８の孔２０ｂを挿通して支持部３から下方に突出する。
【００２０】
ここで、各枝部１６は軟質なポリプロピレンのような合成樹脂等からなるもので弾性を有している。各枝部１６に力が加わっていない状態では、各枝部１６は図１のように上下に長い幹部１５の長さ方向と交差する方向に突出し、特に図１に示す例では全ての枝部１６が下側に向けて突出する幹部１５から斜め上向きに突出するようにしてある。このように枝部１６を斜め上向きに突出させると、枝部１６の基部で落下しないように保持でき、枝部１６でゴミを確実に補足できる。なお、枝部１６としては、図３（ａ）のように斜め上向きの枝部１６と斜め下向きの枝部１６の両方を有するものであっても良いし、全ての枝部１６が斜め下向きであっても良いものとする。
【００２１】
上記により、各枝部１６はヘアキャッチャー１を排水口２に設置した通常の状態において図１又は図３（ａ）に示すように各枝部１６の先端が幹部１５から離れて位置して起立した状態となり、多数の枝部１６が広がった状態となる。また、各枝部１６を突出した幹部１５をしごくことで、図３（ｂ）に示すように各枝部１６は先端側が幹部１５に近づいて倒伏する姿勢に弾性変形できるようになっている。つまり、各枝部１６は先端が幹部１５に近づくように倒伏した倒伏姿勢と、ここから弾性復帰して各枝部１６の先端が幹部１５から離れて起立した起立姿勢とに弾性変形可能となっている。
【００２２】
また、前述の支持部３は内環状部１８の孔２０ｂにヘアキャッチャー本体４の幹部１５を挿通した状態で上下方向に移動自在となっているが、このように幹部１５の長さ方向に移動自在となった支持部３の幹部１５を囲む内環状部１８は、多数の枝部１６を吐出した幹部１５をしごく手段（しごき部）を構成している。つまり、図３に示すように内環状部１８の内周縁に幹部１５を沿わせながら幹部１５を内環状部１８に対して上下方向に移動することで、多数の枝部１６を突出した幹部１５を内環状部１８でしごき、これにより各枝部１６を倒伏させつつ各枝部１６についた毛髪等のゴミを除去できるようになっている。
【００２３】
上記ヘアキャッチャー１を排水口２に設置した状態では、図２に示すように幹部１５に設けた各枝部１６が排水口２に配置され、これら各枝部１６にて支持部３の孔２０ａ及び孔２０ｂを通過した排水に含まれるゴミを捕集する。また、ヘアキャッチャー１の各枝部１６で捕集されたゴミを取り除くには、例えば、ヘアキャッチャー１を排水口２から取り出した後、ヘアキャッチャー本体４を支持部３から外し、このヘアキャッチャー本体４の取手部１４を手で持ち、図３（ａ）→図３（ｂ）のように内環状部１８の孔２０ｂから幹部１５を上方に引き抜くように移動して幹部１５を内環状部１８でしごく。これにより、各枝部１６はその基端部分を支点として幹部１５に近づくように倒伏して多数の枝部１６が幹部１５側に収束していき、また、この時、幹部１５から突出した各枝部１６に絡み付いた毛髪等のゴミが取り除かれる。なお、上記では各枝部１６に付着したゴミを内環状部１８で除去した例を示したが、幹部１５をしごく手段としてはこれに限定されるものではなく、手等でしごいても良いものとする。
【００２４】
ここで、例えば幹部１５が基部側から先端側に向かってしごかれると、しごかれた幹部１５の枝部１６は幹部１５の先端側を向くように弾性変形し、またこの各枝部１６に絡み付いたゴミは枝部１６の自由端となった先端側から抜け出る。このため、幹部１５を一方向にしごくだけで、多数の枝部１６に絡み付いた毛髪等のゴミを同時に取り除くことができ、これによりヘアキャッチャー１の手入れが容易になる。また、本例では、幹部１５の長さ方向に移動自在で且つ幹部１５を囲む環状の内環状部１８（しごき部）により、直接手で触れることなく多数の枝部１６を突出した幹部１５をしごくことができるので、清潔にゴミを除去できる。
【００２５】
なお、上記では内環状部１８で多数の枝部１６を突出した幹部１５をしごくことにより各枝部１６を倒伏させたが、図４に示すように内環状部１８とは別に各枝部１６を倒伏させる倒伏手段を備えていても良い。図４に示す倒伏手段は上下に貫通する起倒用筒部２５からなり、該起倒用筒部２５内には取手部１４から突出する幹部１５がスライド自在に挿入されている。起倒用筒部２５において幹部１５の多数の枝部１６の全てに対応する位置には枝部挿通用孔２６を穿設してあり、幹部１５から突出した各枝部１６は対応する枝部挿通用孔２６を介して外方に突出している。図４（ａ）に示すように起倒用筒部２５の上端を取手部１４に当てた状態では各枝部１６は前述の起立姿勢で幹部１５から突出し、また、この状態から図４（ｂ）に示すように取手部１４を持ってヘアキャッチャー本体４を起倒用筒部２５から引き上げると、各枝部１６はその基端部が枝部挿通用孔２６の周縁部で曲げられて前述の倒伏姿勢となるように設定されている。また、逆に図４（ｂ）に示す状態から取手部１４を持ってヘアキャッチャー本体４を起倒用筒部２５に押し込んで図４（ａ）に示す状態とすると、前記枝部挿通用孔２６の周縁部から各枝部１６を曲げる力が解除されて各枝部１６は起立姿勢に弾性復帰する。
【００２６】
このように各枝部１６を倒伏させる倒伏手段を有することで、図５に示すように多数の枝部１６を同時に倒伏・起立させることができ、より簡単に毛髪等のゴミをしごいて除去できる。
【００２７】
また、上記図１や図３に示すヘアキャッチャー１は取手部１４から一本の幹部１５を突出し、該幹部１５に多数の枝部１６を設けたが、図６に示すように取手部１４から複数本の幹部１５を突出し、各幹部１５に多数の枝部１６を設けても良い。図６の例では各幹部１５を平面視で取手部１４の中央から斜め下向きで且つ平面視放射状に突出し、このように取手部１４からの突出方向を異ならせた各幹部１５に多数の枝部１６を長さ方向及び周方向に位置を異ならせて設けてある。なお、図６では幹部１５と枝部１６を区別できるよう幹部１５にハッチングを付している。
【００２８】
このように多数の枝部１６を有する幹部１５を複数有することで、図６（ａ）のように枝部１６を多数設けることができると共に幹部１５の突出長さを短くでき、排水口２の上下長さが短い場合にも対応できる。
【００２９】
また、上記図１や図３に示すヘアキャッチャー１は取手部１４から上下に長い幹部１５を突出し、多数の枝部１６を幹部１５の長さ方向及び周方向に位置を異ならせて設けたが、図７に示すように取手部１４から上下長さの短い幹部１５を突出し、該幹部１５の先端部にのみ多数の枝部１６を設ける等しても良い。図７では多数の枝部１６を斜め下向きで且つ平面視放射状に突出している。
【００３０】
なお、上記各例のヘアキャッチャー１は幹部１５に多数の枝部１６を設けたが、枝部１６の本数は一本の幹部１５に対して２以上の複数設けてあれば良いものとする。
【図面の簡単な説明】
【００３１】
【図１】本発明の実施の形態の一例のヘアキャッチャーを示し、（ａ）は正面図であり、（ｂ）は平面図である。
【図２】同上のヘアキャッチャーを排水口に設置した排水構造を示す断面図である。
【図３】多数の枝部を突出した幹部をしごく状態を示す説明図であり、（ａ）は支持部でヘアキャッチャー本体を支持した状態を示し、（ｂ）は（ａ）のヘアキャッチャー本体を引き上げて内環状部で幹部をしごいている状態を示す。
【図４】倒伏手段を示す説明図であり、（ａ）はヘアキャッチャー本体の幹部を起倒用筒部に押し込んだ状態を示し、（ｂ）はヘアキャッチャー本体の幹部を起倒用筒部から引き上げた状態を示す。
【図５】同上の幹部から突出した枝部を倒伏させた状態を示す正面図である。
【図６】他例のヘアキャッチャーを示し、（ａ）は正面図であり、（ｂ）は平面図である。
【図７】更に他例のヘアキャッチャーを示し、（ａ）は正面図であり、（ｂ）は平面図であり、（ｃ）はヘアキャッチャー本体の正面図である。
【図８】従来のヘアキャッチャーを示す斜視図である。
【符号の説明】
【００３２】
１  ヘアキャッチャー
２  排水口
３  支持部
１５  幹部
１６  枝部
【図１】
2009052353.tif 000003
【図２】
2009052353.tif 000004
【図３】
2009052353.tif 000005
【図４】
2009052353.tif 000006
【図５】
2009052353.tif 000007
【図６】
2009052353.tif 000008
【図７】
2009052353.tif 000009
【図８】
2009052353.tif 000010